(57)【要約】【課題】画像表示プロジェクタにおいて、ネジ操作用工具を必要とせずにランプボックスの交換ができる。【解決手段】画像表示プロジェクタ１００は、ランプ１が収納されたランプボックス１０と、画像形成素子１が装備されたプロジェクタ本体２０と、ランプボックス１０をプロジェクタ本体２０内に着脱するための開口部３１を開閉するランプドア２２とを備える。ランプドア２２は、リブ４３を有しており、リブ４３の先端は、ランプボックス固定用ネジ５０の頭部５１のネジ操作溝５２に係合し得る形状に形成されている。ランプドア２２をプロジェクタ本体２０から取外し、リブ４３の先端をランプボックス固定用ネジ５０のネジ操作溝５２に係合させることにより、ランプボックス固定用ネジ５０を締める又は緩めることができる。【選択図】      図２
2004347789.tif 000002
【特許請求の範囲】
【請求項１】
画像投射用の光を出射するランプが収納されたランプボックスと、前記ランプからの光を用いて画像を形成する画像形成素子が装備されたプロジェクタ本体と、前記ランプボックスを前記プロジェクタ本体内に着脱するための前記プロジェクタ本体に設けられた開口部と、前記ランプボックスをランプボックス固定用ネジにて前記プロジェクタ本体内にネジ止めするための前記ランプボックスに設けられたネジ止め部と、前記開口部を開閉するための前記プロジェクタ本体に着脱されるプラスチックから成るランプドアと、前記ランプドアが装着されていることを作動片の押圧動作により検出する前記プロジェクタ本体内に設けられた検出スイッチと、前記ランプドアが装着されているときに前記検出スイッチの作動片を押圧する前記ランプドアの内面側に該ランプドアと一体的にプラスチックにより形成された押圧部とを備えた画像表示プロジェクタにおいて、
前記押圧部は、前記ランプドアの内面側に立設されて真直ぐに延びるリブから成り、
前記ネジ止め部は、前記ランプドアの装着時における前記リブの延びる方向に前記ランプボックス固定用ネジを進退させるものであり、前記検出スイッチより前記ランプドア側の位置に設けられており、
前記リブは、その先端が前記ランプボックス固定用ネジの頭部に係合し得る形状であり、基端側に当該リブの延びる方向を軸とした捩り方向に対する強度を補強する補強部を有することを特徴とする画像表示プロジェクタ。
【請求項２】
画像投射用の光を出射するランプが収納されたランプボックスと、前記ランプからの光を用いて画像を形成する画像形成素子が装備されたプロジェクタ本体と、前記ランプボックスを前記プロジェクタ本体内に着脱するための前記プロジェクタ本体に設けられた開口部と、前記ランプボックスをランプボックス固定用ネジにて前記プロジェクタ本体内にネジ止めするための前記ランプボックスに設けられたネジ止め部と、前記開口部を開閉するための前記プロジェクタ本体に着脱されるプラスチックから成るランプドアとを備えた画像表示プロジェクタにおいて、
前記ランプドアは、前記ランプボックス固定用ネジを操作し得るネジ操作部を有することを特徴とする画像表示プロジェクタ。
【請求項３】
前記ネジ操作部は、前記ランプドアの内面側に立設されて真直ぐに延びるリブから成り、該リブの先端が前記ランプボックス固定用ネジの頭部に係合し得る形状であることを特徴とする請求項２に記載の画像表示プロジェクタ。
【発明の詳細な説明】
【０００１】
【発明の属する技術分野】
本発明は、画像を投射してスクリーン等に表示する画像表示プロジェクタに関する。
【０００２】
【従来の技術】
従来から、パソコンやビデオカメラ等からの画像データを基に、ランプから出射される光を用いて画像形成素子により画像を形成し、その画像をスクリーン等に投射して表示させる画像表示プロジェクタが知られている。この種の画像表示プロジェクタは、ランプが収納されたランプボックスを画像形成素子が装備されたプロジェクタ本体に着脱できる構造になっており、ランプが劣化や寿命により使用不能になったときにランプを交換できるようになっている。ランプの交換は、ランプボックスごと行われ、使用不能になったランプが収納されたランプボックスをプロジェクタ本体から取外し、使用可能なランプが収納されたランプボックスをプロジェクタ本体に装着することにより行われる。
【０００３】
このような画像表示プロジェクタでは、ランプボックスの装着は、プロジェクタ本体のランプドアを開き、その開口部からランプボックスをプロジェクタ本体内に挿入し、ランプボックスをプロジェクタ本体内にてネジ止めすることにより行われる。ランプボックスの装着後は、ランプドアは閉じられる。また、ランプボックスの取外しは、これと逆の手順で行われる。
【０００４】
また、投射型表示装置に関し、ランプボックスが所定温度以上の場合には、バイメタルを用いたロック機構によりランプボックスとランプカバーとが係止されることにより、ランプカバーを筐体から取外すことを制限するようにしたものが知られている（例えば、特許文献１参照）。また、液晶ビデオプロジェクタに関し、ランプホルダを挿脱する開口を施蓋する蓋体に突起を設け、蓋体による開口の施蓋時に、電源コードのＡＣインレットへの抜き差しを可能とするためのロックレバーを押圧するようにしたものが知られている（例えば、特許文献２参照）。また、プロジェクタに関し、投射レンズを保護するためのカバーを装着すると共に、カバーが装着されているときは光源用ランプに電源が投入できないようにしたものが知られている（例えば、特許文献３参照）。また、ランプを収容した筐体のランプ交換用蓋のロック装置に関し、筐体に温度可逆変形フック部材を設け、ランプ交換用蓋に温度可逆変形フック部材と係止される係止部材を設けたものが知られている（例えば、特許文献４参照）。また、投射型液晶プロジェクタに関し、ランプ箱に対向した横壁部分を分割してランプサイドカバーを形成したものが知られている（例えば、特許文献５参照）。
【０００５】
【特許文献１】
特開２００２−３３３６６８号公報
【特許文献２】
特開平１０−２６８４２５号公報
【特許文献３】
特開２００２−３４４８４８号公報
【特許文献４】
特開昭５９−３０１２９号公報
【特許文献５】
実開平４−１０４６４４号公報
【０００６】
【発明が解決しようとする課題】
ところで、画像表示プロジェクタの使用中に、ランプが劣化や寿命により使用不能になり、不測にランプの交換が必要になる場合がある。ところが、上述した従来の画像表示プロジェクタにおいては、ランプボックスがプロジェクタ本体内にネジ止めされているため、ランプを交換する際にはネジ操作用工具が必要である。このため、ランプが劣化や寿命により使用不能になった場合、ネジ操作用工具が用意できなければ、ランプを交換することができず、画像表示プロジェクタを使用できないという事態に陥ってしまう。なお、上述した特許文献１乃至特許文献５に開示の内容を適用したとしても、上記の課題を解決することはできない。
【０００７】
本発明は、上記課題を解決するためになされたものであり、ネジ操作用工具を必要とせずにランプボックスの交換ができる画像表示プロジェクタを提供することを目的とする。
【０００８】
【課題を解決するための手段】
上記目的を達成するために請求項１の発明は、画像投射用の光を出射するランプが収納されたランプボックスと、ランプからの光を用いて画像を形成する画像形成素子が装備されたプロジェクタ本体と、ランプボックスをプロジェクタ本体内に着脱するためのプロジェクタ本体に設けられた開口部と、ランプボックスをランプボックス固定用ネジにてプロジェクタ本体内にネジ止めするためのランプボックスに設けられたネジ止め部と、開口部を開閉するためのプロジェクタ本体に着脱されるプラスチックから成るランプドアと、ランプドアが装着されていることを作動片の押圧動作により検出するプロジェクタ本体内に設けられた検出スイッチと、ランプドアが装着されているときに検出スイッチの作動片を押圧するランプドアの内面側に該ランプドアと一体的にプラスチックにより形成された押圧部とを備えた画像表示プロジェクタにおいて、押圧部は、ランプドアの内面側に立設されて真直ぐに延びるリブから成り、ネジ止め部は、ランプドアの装着時におけるリブの延びる方向にランプボックス固定用ネジを進退させるものであり、検出スイッチよりランプドア側の位置に設けられており、リブは、その先端がランプボックス固定用ネジの頭部に係合し得る形状であり、基端側に当該リブの延びる方向を軸とした捩り方向に対する強度を補強する補強部を有するものである。
【０００９】
この構成においては、ランプドアをプロジェクタ本体から取外し、ランプドア装着検出用の検出スイッチの作動片を押圧するリブの先端をランプボックス固定用ネジの頭部に係合させることにより、ランプボックス固定用ネジを操作できる。このため、ネジ操作用工具が用意できない場合でも、ランプドアを利用してランプボックスの交換ができる。これにより、不測にランプの交換が必要になった場合でも、ネジ操作用工具が用意できないためにランプが交換できずに画像が表示できないという事態に陥ることがない。また、リブが真直ぐに延びているため、リブの先端をランプボックス固定用ネジの頭部に係合させ易いと共に、ランプボックス固定用ネジを締める又は緩める操作を行い易い。しかも、リブの基端側には補強部が設けられているため、リブの先端をランプボックス固定用ネジの頭部に係合させてランプボックス固定用ネジを締める又は緩める操作を行うときに、その操作力がランプボックス固定用ネジに確実に伝達され、ランプボックス固定用ネジを確実に締める又は緩めることができる。また、ランプドアを装着した状態では、リブの先端がランプドア装着検出用の検出スイッチの作動片を押圧することにより、ランプドアを装着していることが検出される。
【００１０】
請求項２の発明は、画像投射用の光を出射するランプが収納されたランプボックスと、ランプからの光を用いて画像を形成する画像形成素子が装備されたプロジェクタ本体と、ランプボックスをプロジェクタ本体内に着脱するためのプロジェクタ本体に設けられた開口部と、ランプボックスをランプボックス固定用ネジにてプロジェクタ本体内にネジ止めするためのランプボックスに設けられたネジ止め部と、開口部を開閉するためのプロジェクタ本体に着脱されるプラスチックから成るランプドアとを備えた画像表示プロジェクタにおいて、ランプドアは、ランプボックス固定用ネジを操作し得るネジ操作部を有するものである。
【００１１】
この構成においては、ランプドアをプロジェクタ本体から取外し、ランプドアのネジ操作部により、ランプボックス固定用ネジを操作できる。このため、ネジ操作用工具が用意できない場合でも、ランプドアを利用してランプボックスの交換ができる。これにより、不測にランプの交換が必要になった場合でも、ネジ操作用工具が用意できないためにランプが交換できずに画像が表示できないという事態に陥ることがない。
【００１２】
請求項３の発明は、請求項２に記載の画像表示プロジェクタにおいて、ネジ操作部は、ランプドアの内面側に立設されて真直ぐに延びるリブから成り、該リブの先端がランプボックス固定用ネジの頭部に係合し得る形状であるものである。
【００１３】
この構成においては、ランプドアに設けられているリブの先端をランプボックス固定用ネジの頭部に係合させることにより、ランプボックス固定用ネジを操作できる。このとき、リブが真直ぐに延びているため、リブの先端をランプボックス固定用ネジの頭部に係合させ易く、また、ランプボックス固定用ネジを締める又は緩める操作を行い易い。
【００１４】
【発明の実施の形態】
以下、本発明を具体化した実施形態について図面を参照して説明する。図１及び図２において、画像表示プロジェクタ１００は、パソコンやビデオカメラ等から入力される画像信号を基に、ランプ１から出射される画像投射用の光を用いて画像形成素子２により画像を形成し、その画像を投射レンズ３からスクリーンや壁面等に投射表示する装置であり、ランプ１が収納されたランプボックス１０をプロジェクタ本体２０に着脱できる構造になっている。
【００１５】
ランプボックス１０は、ランプ１を収納しており、コネクタ１１と、ネジ止め部１２とを備えている。コネクタ１１は、ランプ１に電力を供給するためのものである。ネジ止め部１２は、ランプボックス１０をプロジェクタ本体２０内にネジ止めするためのものであり、ランプボックス１０の背面において上面側へ突出して設けられており、ネジ孔１３を有している。
【００１６】
プロジェクタ本体２０は、上述の画像形成素子２及び投射レンズ３に加えて反射ミラー４を装備している。画像形成素子２は、例えば多数のマイクロミラーがマトリックス状に配列されて画像形成面が構成されている反射型のＤＬＰ（デジタル・ライティング・プロセッサ）が用いられており、各マイクロミラーの角度が制御部（不図示）からの信号により制御されることにより、照射される光を反射して画像を形成する。反射ミラー４は、ランプ１から出射される画像投射用の光を反射して画像形成素子２に照射する。投射レンズ３は、画像形成素子２の画像形成面からの反射光すなわち画像形成素子２にて形成された画像をスクリーンや壁面等に投射する。
【００１７】
また、プロジェクタ本体２０は、ランプハウス２１と、ランプドア２２と、検出スイッチ２３とを備えている。ランプハウス２１は、上述のランプボックス１０をプロジェクタ本体２０内に着脱自在に固定するものであり、内部にランプボックス１０を装着するための空間が形成されており、ランプボックス１０を挿入、離脱するための開口部３１と、ランプボックス１０をネジ止めするためのネジ止め部３２とを有している。ネジ止め部３２は、開口部３１の開口端にてランプハウス３１の上部側へ突出して設けられており、ネジ孔３３を有している。
【００１８】
ランプボックス１０のランプハウス２１への挿入方向はプロジェクタ本体２０の側面２０ａに略垂直な方向となっている。ランプボックス１０のネジ孔１３とランプハウス２１のネジ孔３３とは、ランプボックス１０をランプハウス２１内に装着したときに一致される。ランプボックス１０のランプハウス２１へのネジ止めは、ランプボックス１０をランプハウス２１内に装着した状態で、ランプボックス固定用ネジ５０をネジ孔１３及びネジ孔３３に螺合することにより行われる。ランプボックス固定用ネジ５０は、本実施形態では、頭部５１に直線形状のネジ操作溝５２を有するものが用いられている。ネジ孔１３及びネジ孔３３は、ランプボックス固定用ネジ５０をランプボックス１０のランプハウス２１への挿入方向と平行な方向、すなわちプロジェクタ本体２０の側面２０ａに略垂直な方向に進退させるように形成されている。
【００１９】
ランプドア２２は、ランプハウス２１の開口部３１を開閉するものであり、プロジェクタ本体２０に着脱自在となっている。このランプドア２２は、プラスチックにより形成されており、係合片４１、４２と、リブ４３とを有している。ランプドア２２の詳細については後述する。
【００２０】
検出スイッチ２３は、ランプドア２２のプロジェクタ本体２０への装着状態を検出するものであり、作動片２３ａの押圧によりスイッチング動作を行い、作動片２３ａが押圧されている状態をランプドア２２が装着されている（すなわちランプハウス２１の開口部３１が閉鎖されている）状態として検出する。この検出スイッチ２３は、ランプハウス２１の上部に、ネジ止め部３２よりも奥側に配置されている（従って、ランプボックス１０のネジ止め部１２は、検出スイッチ２３よりもランプドア２２側に位置する）。
【００２１】
次に、上記ランプドア２２について、図３及び図４を参照して説明する。ランプドア２２は、上述のように係合片４１、４２と、リブ４３とを有している。係合片４１は、ランプドア２２をプロジェクタ本体２０に着脱するためのものである。リブ４３は、検出スイッチ２３の作動片２３ａを押圧する押圧部であり、また、ランプボックス固定用ネジ５０を操作し得るネジ操作部である。係合片４１、４２、及びリブ４３は、プラスチックによりランプドア２２と一体に形成されている。
【００２２】
リブ４３は、ランプドア２２の内面側に立設されて真直ぐに延びており、その先端４４がランプボックス固定用ネジ５０の頭部５１に係合し得る形状に形成されている。ランプボックス固定用ネジ５０は、上述のように頭部５１に直線形状のネジ操作溝５２を有しており、従って、リブ４３の先端４４は、本実施形態では、ネジ操作溝５２（すなわち頭部５１）に係合し得る細長い直線状に形成されている（図３参照）。リブ４３の基端側には、補強部４５が形成されている。補強部４５は、リブ４３の延びる方向を軸とした捩り方向に対する強度を補強するものである。
【００２３】
また、リブ４３は、ランプドア２２をプロジェクタ本体２０に装着した状態のときにランプハウス２１の上方に位置して先端４４が検出スイッチ２３の作動片２３ａを押圧するように構成されている（図４参照）。リブ４３は検出スイッチ２３の作動片２３ａを押圧する長さを有しており、一方、ランプボックス１０のネジ止め部１２は検出スイッチ２３よりもランプドア２２側に位置している。従って、リブ４３は、ランプドア２２をプロジェクタ本体２０から取外した状態で、先端４４がランプボックス１０のネジ止め部１２に届き得る長さになっている。
【００２４】
このような構成の画像表示プロジェクタ１００によれば、図５に示すように、ランプドア２２のリブ４３の先端４４をランプボックス固定用ネジ５０の頭部５１のネジ操作溝５２に係合させ、ランプドア２２をリブ４３の延びる方向を軸として回転させるとにより、ランプボックス固定用ネジ５０を締める又は緩める操作が行える。これにより、ネジ操作用工具が用意できない場合でも、ランプドア２２を利用してランプボックス１０の交換ができる。
【００２５】
このとき、リブ４３がランプドア２２に略垂直に立設されているため、ランプドア２２をプロジェクタ本体２０の側面２０ａに接触することなく回転させることができ、ランプボックス固定用ネジ５０を締める又は緩める操作が容易に行える。また、リブ４３が真直ぐに延びているため、リブ４３の先端４４をランプボックス固定用ネジ５０のネジ操作溝５２に係合させ易いと共に、ランプボックス固定用ネジ５０を締める又は緩める操作を行い易い。しかも、リブ４３の基端側には補強部４５が設けられているため、ランプドア２２を回転させてランプボックス固定用ネジ５０を締める又は緩める操作を行うときに、その操作力がランプボックス固定用ネジ５０に確実に伝達され、ランプボックス固定用ネジ５０を確実に締める又は緩めることができる。
【００２６】
なお、本発明は、上記実施形態の構成に限られず、種々の変形が可能である。例えば、上記実施形態において、リブ４３は、プラスチックに限らず、金属であってもよく、プラスチックに金属をインサート成形したものであってもよい。また、リブ４３は、必ずしも検出スイッチ２３の作動片２３ａを押圧するための押圧部とランプボックス固定用ネジ５０を操作するためのネジ操作部とを兼ねる必要はない。すなわち、作動片２３ａの押圧用のリブとランプボックス固定用ネジ５０の操作用のリブと別々に設けてもよく、検出スイッチ２３を有さないタイプの画像表示プロジェクタ１００においては、リブ４３はランプボックス固定用ネジ５０のネジ操作部専用となる。ランプボックス固定用ネジ５０は、頭部に直線形状のネジ操作溝を有するものに限らず、頭部に十字形状の溝や６角形状の凹部を有するもの、又は頭部自体が６角形状等に形成されているものであってもよい。これらの場合、リブ４３の先端４４は、各々のネジの頭部に係合し得る形状であればよい。
【００２７】
【発明の効果】
以上説明したように請求項１の発明によれば、ランプドア装着検出用の検出スイッチの作動片を押圧するリブの先端がランプボックス固定用ネジの頭部に係合し得る形状であるため、ネジ操作用の工具を必要とせずにランプボックスの交換ができ、これにより、不測にランプの交換が必要になった場合でも、直ぐにランプを交換して画像を表示することができる。また、リブは真直ぐに延びているため、容易にリブの先端をランプボックス固定用ネジの頭部に係合させてランプボックス固定用ネジを締める又は緩めることができる。しかも、リブは基端側に補強部を有するため、ランプボックス固定用ネジを確実に締める又は緩めることができる。また、ランプドア装着検出用の検出スイッチの作動片を押圧するリブの先端をランプボックス固定用ネジの頭部に係合し得る形状とすることで、このリブとは別にネジ操作用の部材を設ける必要がなく、コストを抑えることができる。
【００２８】
請求項２の発明によれば、ランプドアがランプボックス固定用ネジを操作し得るネジ操作部を有しているため、ネジ操作用の工具を必要とせずにランプボックスの交換ができ、これにより、不測にランプの交換が必要になった場合でも、直ぐにランプを交換して画像を表示することができる。
【００２９】
請求項３の発明によれば、ネジ操作部は真直ぐに延びるリブから成り、リブの先端がランプボックス固定用ネジの頭部に係合し得る形状であるため、容易にリブの先端をランプボックス固定用ネジの頭部に係合させてランプボックス固定用ネジを締める又は緩めることができる。
【図面の簡単な説明】
【図１】本発明の一実施形態に係る画像表示プロジェクタの概略構成を示す斜視図。
【図２】同プロジェクタのランプボックスをプロジェクタ本体から取外した状態を示す斜視図。
【図３】同プロジェクタのランプドアの構成を示す斜視図。
【図４】同プロジェクタのランプドアのリブが検出スイッチの作動片を押圧している状態を示す一部破断した斜視図。
【図５】同プロジェクタのランプドアのリブを利用したランプボックス固定用ネジの操作を説明する一部破断した斜視図。
【符号の説明】
１  ランプ
２  画像形成素子
３  投射レンズ
１０  ランプボックス
１２  ネジ止め部
１３  ネジ孔
２０  プロジェクタ本体
２１  ランプハウス
２２  ランプドア
２３  検出スイッチ
２３ａ  作動片
３１  開口部
３２  ネジ止め部
３３  ネジ孔
４３  リブ（押圧部、ネジ操作部）
４４  リブの先端
４５  補強部
５０  ランプボックス固定用ネジ
５１  ランプボックス固定用ネジの頭部
５２  ネジ操作溝
１００  画像表示プロジェクタ
【図１】
2004347789.tif 000003
【図２】
2004347789.tif 000004
【図３】
2004347789.tif 000005
【図４】
2004347789.tif 000006
【図５】
2004347789.tif 000007